(57)【特許請求の範囲】
【請求項１】
コネクターを通して外部信号源から入力されたアナログ映像信号をデジタル映像信号に変換して出力するアナログ映像処理部と、
コネクターを通して外部信号源から入力されたデジタル信号をデジタル映像信号、水平同期信号、及び垂直同期信号にデコーディングして出力するデジタル映像処理部と、
前記コネクターがＤＶＩ−Ｄ型であるか、あるいはＤＶＩ−Ｉ型であるかを検出するコネクター検出部と、
前記コネクター検出部によりＤＶＩ−Ｄ型コネクターが接続されていることが検出された場合、映像信号スイッチング部及び同期信号スイッチング部に第２制御信号を出力し、
前記コネクター検出部によりＤＶＩ−Ｉ型コネクターが接続されていることが検出された場合、映像信号スイッチング部及び同期信号スイッチング部に第２制御信号を出力した後、前記同期信号スイッチング部から同期信号が入力されるかを判断し、同期信号が入力されない場合は映像信号スイッチング部及び同期信号スイッチング部に第１制御信号を出力する制御部と、
第１制御信号が入力されると前記アナログ映像処理部から入力されたデジタル映像信号を出力し、第２制御信号が入力されると前記デジタル映像処理部から入力されたデジタル映像信号を出力する映像信号スイッチング部と、
第１制御信号が入力されると前記コネクターを通して外部信号源から入力された同期信号を出力し、第２制御信号が入力されると前記デジタル映像処理部から入力された同期信号を出力する同期信号スイッチング部と、
前記映像信号スイッチング部から入力されたデジタル映像信号を設定された解像度に合わせて信号変換して出力するスケーラーと、
前記スケーラーから入力されたデジタル映像信号をパネルにディスプレイするパネル駆動部と、
を備えることを特徴とするデジタル映像表示機器のＤＶＩコネクター検出装置。
【請求項２】
前記制御部は、
前記コネクター検出部によりＤＶＩ−Ｄ型コネクターの接続が検出された場合、ＤＶＩ−Ｄ型コネクターの接続状態をユーザーに知らせるためのＯＳＤ画面をディスプレイし、
前記コネクター検出部によりＤＶＩ−Ｉ型コネクターの接続が検出された場合、ＤＶＩ−Ｉ型コネクターの接続状態をユーザーに知らせるためのＯＳＤ画面をディスプレイするように制御すること
を特徴とする請求項１に記載のデジタル映像表示機器のＤＶＩコネクター検出装置。
【請求項３】
前記制御部が、
コンピュータの電源がオンになった時、またはコネクターを分離後再接続した時に、コネクター検出部を通して前記コネクターがＤＶＩ−Ｄ型であるか、あるいはＤＶＩ−Ｉ型であるかを検出すること
を特徴とする請求項１に記載のデジタル映像表示機器のＤＶＩコネクター検出装置。
【請求項４】
前記ＤＶＩ−Ｄ型コネクターがデジタル信号を伝送するための多数のピンにて構成され、
前記ＤＶＩ−Ｉ型コネクターがデジタル信号を伝送するための多数のピンとアナログ信号を伝送するための多数のピンで構成され、前記アナログ信号を伝送するための多数のピンのうち１つのピンがグラウンドと接続されること
を特徴とする請求項１に記載のデジタル映像表示機器のＤＶＩコネクター検出装置。
【請求項５】
前記コネクター検出部が、
所定の電源電圧を分圧するための抵抗で構成され、コネクターのアナロググラウンド接続ピンと制御部との間に接続され、
ＤＶＩ−Ｄ型コネクタ―が接続されている場合はアナロググラウンド接続ピンをオープンにしてハイレベルの検出信号を前記制御部に入力し、
ＤＶＩ−Ｉ型コネクターが接続されている場合はアナロググラウンド接続ピンをグラウンドに接続させてローレベルの検出信号を前記制御部に入力させること
を特徴とする請求項４に記載のデジタル映像表示機器のＤＶＩコネクター検出装置。
【請求項６】
前記デジタル映像処理部が、
外部信号源からＴＭＤＳ変換方式によってコーディングされたデジタル信号が入力されると、入力されたデジタル信号をＴＭＤＳ信号変換方式によってデジタル映像信号、水平同期信号、及び垂直同期信号にデコーディングするＴＭＤＳレシーバーであること
を特徴とする請求項１に記載のデジタル映像表示機器のＤＶＩコネクター検出装置。
【請求項７】
コネクターを通して外部信号源から入力されたアナログ映像信号をデジタル映像信号に変換して出力するアナログ映像処理部と、
コネクターを通して外部信号源から入力されたデジタル信号をデジタル映像信号、水平同期信号、及び垂直同期信号にデコーディングして出力するデジタル映像処理部と、
前記コネクターがＤＶＩ−Ｄ型であるか、あるいはＤＶＩ−Ｉ型であるかを検出するコネクター検出部と、
前記コネクター検出部の検出結果によって映像信号スイッチング部及び同期信号スイッチング部に第１制御信号または第２制御信号を出力する制御部と、
第１制御信号が入力されると前記アナログ映像処理部から入力されたデジタル映像信号を出力し、第２制御信号が入力されると前記デジタル映像処理部から入力されたデジタル映像信号を出力する映像信号スイッチング部と、
第１制御信号が入力されると前記コネクターを通して外部信号源から入力された同期信号を出力し、第２制御信号が入力されると前記デジタル映像処理部から入力された同期信号を出力する同期信号スイッチング部と、
前記映像信号スイッチング部から入力されたデジタル映像信号を設定された解像度に合わせて信号変換して出力するスケーラーと、
前記スケーラーから入力されたデジタル映像信号をパネルにディスプレイするパネル駆動部と、を備え、
前記制御部は、デジタル映像信号の各種パラメーターを調整するためのメニューキーが入力されると、前記コネクター検出部によりＤＶＩ−Ｄ型コネクターの接続が検出された場合はデジタル映像信号のパラメーターを調整するためのメニュー画面をディスプレイし、前記コネクター検出部によりＤＶＩ−Ｉ型コネクターの接続が検出された場合はデジタル映像信号及びアナログ映像信号のパラメーターを調整するためのメニュー画面をディスプレイするように制御すること、
を特徴とするデジタル映像表示機器のＤＶＩコネクター検出装置。
【請求項８】
前記デジタル映像信号のパラメーターを調整するためのメニュー画面は、ブライトネス、イメージサイズ、イメージエフェクト、ＯＳＤランゲージ、ＯＳＤポジション、ソースセレクション、及びインフォメーションからなり、
前記デジタル映像信号及びアナログ映像信号のパラメーターを調整するためのメニュー画面は、ブライトネス、コントラスト、イメージロック、カラーコントロール、リセット、水平ポジション、垂直ポジション、イメージサイズ、イメージエフェクト、ＯＳＤランゲージ、ＯＳＤポジション、ソースセレクション、及びインフォメーションからなること
を特徴とする請求項７に記載のデジタル映像表示機器のＤＶＩコネクター検出装置。
【請求項９】
アナログスイッチングモードの場合、アナログ映像処理部から出力されるデジタル映像信号をパネルにディスプレイし、デジタルスイッチングモードの場合、デジタル映像処理部から出力されるデジタル映像信号をパネルにディスプレイするデジタル映像表示機器のＤＶＩコネクター検出方法において、
デジタル映像表示機器に接続されているコネクターがＤＶＩ−Ｄ型であるか、あるいはＤＶＩ−Ｉ型であるかを判断するステップ１０と、
前記ステップ１０の判断の結果デジタル映像表示機器に接続されているコネクターがＤＶＩ−Ｄ型である場合、スイッチングモードをデジタルスイッチングモードに設定するステップ２０と、
前記ステップ２０を実行後、ＤＶＩ−Ｄ型コネクターを通して同期信号が入力されるかを判断するステップ３０と、
前記ステップ３０の判断の結果、ＤＶＩ−Ｄ型コネクターを通して同期信号が入力された場合、既に設定されているデジタルスイッチングモードをそのまま維持し、デジタル映像表示機器を正常動作させるステップ４０と、
前記ステップ３０の判断の結果、ＤＶＩ−Ｄ型コネクターを通して同期信号が入力されなかった場合、デジタル映像表示機器に異常が生じたと判断してデジタル映像表示機器を節電動作させるステップ５０と、
前記ステップ１０の判断の結果、デジタル映像表示機器に接続されているコネクターがＤＶＩ−Ｉ型である場合、ＤＶＩ−Ｉ型コネクターを通して同期信号が入力されるかを判断するステップ６０と、
前記ステップ６０の判断の結果、ＤＶＩ−Ｉ型コネクターを通して同期信号が入力された場合、既に設定されているスイッチングモードをそのまま維持してデジタル映像表示機器を正常動作させ、前記ステップ６０の判断の結果、ＤＶＩ−Ｉ型コネクターを通して同期信号が入力されなかった場合、既に設定されているスイッチングモードがアナログスイッチングモードであるか、またはデジタルスイッチングモードであるかを判断するステップ７０と、
前記ステップ７０の判断の結果、既に設定されているスイッチングモードがアナログスイッチングモードの場合、スイッチングモードをデジタルスイッチングモードに再設定するステップ８０と、
前記ステップ７０の判断の結果、既に設定されているスイッチングモードがデジタルスイッチングモードの場合、スイッチングモードをアナログスイッチングモードに再設定するステップ９０と、
前記ステップ８０、または前記ステップ９０を実行後、前記ステップ６０に戻って、
前記ステップ６０、ステップ７０、ステップ８０、及びステップ９０を順次繰り返した後、設定されている繰り返し回数に達すると、デジタル映像表示機器に異常が生じたと判断してデジタル映像表示機器を節電動作させるステップ１００と、
からなることを特徴とするデジタル映像表示機器のＤＶＩコネクター検出方法。
【請求項１０】
デジタル映像表示機器に接続されているコネクターがＤＶＩ−Ｄ型である場合、ＤＶＩ−Ｄ型コネクターの接続状態をユーザーに知らせるためのＯＳＤ画面をディスプレイし、
デジタル映像表示機器に接続されているコネクターがＤＶＩ−Ｉ型である場合、ＤＶＩ−Ｉ型コネクターの接続状態をユーザーに知らせるためのＯＳＤ画面をディスプレイすることを特徴とする請求項９に記載のデジタル映像表示機器のＤＶＩコネクター検出方法。
【請求項１１】
ユーザーによりデジタル映像信号の各種パラメーターを調整するためのメニューキーが入力された際に、デジタル映像表示機器に接続されているコネクターがＤＶＩ−Ｄ型の場合デジタル映像信号のパラメーターを調整するためのメニュー画面をディスプレイし、デジタル映像表示機器に接続されているコネクターがＤＶＩ−Ｉ型の場合デジタル映像信号及びアナログ映像信号のパラメーターを調整するためのメニュー画面をディスプレイすること
を特徴とする請求項９に記載のデジタル映像表示機器のＤＶＩコネクター検出方法。
【請求項１２】
前記デジタル映像信号のパラメーターを調整するためのメニュー画面は、ブライトネス、イメージサイズ、イメージエフェクト、ＯＳＤランゲージ、ＯＳＤポジション、ソースセレクション、及びインフォメーションからなり、前記デジタル映像信号及びアナログ映像信号のパラメーターを調整するためのメニュー場面はブライトネス、コントラスト、イメージロック、カラーコントロール、リセット、水平ポジション、垂直ポジション、イメージサイズ、イメージエフェクト、ＯＳＤランゲージ、ＯＳＤポジション、ソースセレクショ、インフォメーションからなること
を特徴とする請求項１１に記載のデジタル映像表示機器のＤＶＩコネクター検出方法。
【請求項１３】
コンピュータの電源がオンになった時、またはコネクターを分離後再接続した時に、前記コネクターがＤＶＩ−Ｄ型であるか、あるいはＤＶＩ−Ｉ型であるかを検出すること
を特徴とする請求項９に記載のデジタル映像表示機器のＤＶＩコネクター検出方法。
【発明の詳細な説明】
【０００１】
【発明の属する技術分野】
本発明は、デジタル映像表示機器のＤＶＩコネクター検出装置及び方法に関するものである。詳しくは、デジタル映像表示機器に接続されたＤＶＩコネクターの種類を検出してその種類によってスイッチングモードを設定し、設定されたスイッチングモードによって外部信号源から入力されたアナログまたはデジタルの映像信号のどちらかを画面にディスプレイするデジタル映像表示機器のＤＶＩコネクター検出装置及び方法に関するものである。
【０００２】
【従来の技術】
デスクトップコンピューター及び携帯用コンピューターの映像表示機器には、一般的にＣＲＴを使用したアナログ映像表示機器とＬＣＤを使用したデジタル映像表示機器が普及しており、デジタル映像表示機器は信号源（例えばコンピューター本体のグラフィックカード）から入力されたアナログ映像信号、またはデジタル映像信号を画面にディスプレイする。
【０００３】
ＤＤＷＧ（Ｄｉｇｉｔａｌ  Ｄｉｓｐｌａｙ  Ｗｏｒｋｉｎｇ  Ｇｒｏｕｐ）が発表したＤＶＩ（Ｄｉｇｉｔａｌ  Ｖｉｓｕａｌ  Ｉｎｔｅｒｆａｃｅ）標準案によると、信号源がデジタル映像信号のみをサポートする場合はＤＶＩ−Ｄと定義され、デジタル映像信号とアナログ映像信号の両方をサポートする場合はＤＶＩ−Ｉと定義される。
【０００４】
ＤＶＩ−Ｄ型コネクター及びＤＶＩ−Ｉ型コネクターのピンの配置は、各々図５ａ及び図５ｂに図示してある。
【０００５】
即ち、信号源がデジタル信号のみをサポートする場合、信号源と図５ｃに図示したようなデジタル映像表示機器との接続は、図５ａに図示したようなコネクターを持つＤＶＩ−Ｄ信号線（Ｓｉｇｎａｌ  Ｃａｂｌｅ）を通して行われる。また、信号源がデジタル信号とアナログ信号の両方をサポートする場合、信号源と図５ｃに図示したようなデジタル映像表示機器との接続は、図５ｂに図示したようなコネクターを持つＤＶＩ−Ｉ信号線を通して行われる。
【０００６】
図１は、従来のデジタル映像表示機器の概略を図示したブロック図である。図２は、従来のデジタル映像表示機器の入力信号検出方法を示したフローチャートである。
【０００７】
図１に図示したように、従来のデジタル映像表示機器は、外部信号源からＤＶＩ−Ｄ型コネクターまたはＤＶＩ−Ｉ型コネクターを通してデジタル信号が入力された場合、先ずデジタル映像処理部２で入力されたデジタル信号をデジタル映像信号、水平同期信号、及び垂直同期信号にデコーディングする。
【０００８】
デジタル映像処理部２によりデコーディングされたデジタル映像信号は、スケーラー５にて、設定された解像度に合わせて信号変換された後、パネル駆動部６によってパネルにディスプレイされる。
【０００９】
また、従来のデジタル映像表示機器は、外部信号源からＤＶＩ−Ｉ型コネクターを通してアナログ信号が入力された場合、先ずアナログ映像処理部１で入力されたアナログ映像信号をデジタル映像信号に変換する。
【００１０】
アナログ映像処理部１により変換されたデジタル映像信号は、スケーラー５にて、設定された解像度に合わせて信号変換された後、パネル駆動部６によってパネルにディスプレイされる。
【００１１】
この時、従来のデジタル映像表示機器は、接続されているコネクターの種類に関係なく、信号源から入力された映像信号がデジタル映像信号であるかアナログ映像信号であるかを検出し、その検出結果によってスイッチングモードを設定し、設定されたスイッチングモードによって映像信号スッチング部３及び同期信号スイッチング部４を制御し、信号源から入力されたアナログ映像信号またはデジタル映像信号のどちらかを画面にディスプレイする。
【００１２】
入力信号の検出及び決定は、通常、ユーザーがキー入力により信号の種類を指定して決定するか、もしくは、制御部８がアナログ入力信号とデジタル入力信号を順次検索して信号入力のある方に決定される。
【００１３】
即ち、図２に図示したように、従来のデジタル映像表示機器の制御部８は、ＤＶＩ−Ｄ型コネクターまたはＤＶＩ−Ｉ型コネクターを通して外部信号源から同期信号が入力されたかを判断する（Ｓ１）。同期信号が入力された場合は、既に設定されているスイッチングモードをそのまま維持し、デジタル映像表示機器を正常に動作させる（Ｓ２）。また、同期信号の入力がなかった場合は、既に設定されているスイッチングモードがアナログスイッチングモードであるか、またはデジタルスイッチングモードであるかを判断する（Ｓ３）。
【００１４】
制御部８は、既に設定されたスイッチングモードがアナログスイッチングモードの場合は、スイッチングモードをデジタルスイッチングモードに再設定する（Ｓ４）。また、既に設定されたスイッチングモードがデジタルスイッチングモードの場合は、スイッチングモードをアナログスイッチングモードに再設定する（Ｓ５）。スイッチングモードの設定が終わると、ステップ１（Ｓ１）に戻って、ステップ１（Ｓ１）、ステップ２（Ｓ２）、ステップ３（Ｓ３）、ステップ４（Ｓ４）、及びステップ５（Ｓ５）の処理を繰り返し行う。この時、設定されたループ回数に達すると（Ｓ６）、デジタル映像表示機器に異常が発生したと判断し、デジタル映像表示機器を節電動作させる（Ｓ７）。
【００１５】
また、デジタル映像表示機器では通常、映像信号のパラメーターをユーザーが直接調整できるようになっており、そのためのメニュー画面ディスプレイ機能がある。アナログ映像信号の場合、ユーザーはブライトネス（Ｂｒｉｇｈｔｎｅｓｓ）、コントラスト（Ｃｏｎｔｒａｓｔ）、イメージロック（Ｉｍａｇｅ  Ｌｏｃｋ）、カラーコントロール（Ｃｏｌｏｒ  Ｃｏｎｔｒｏｌ）、リセット（Ｒｅｓｅｔ）、水平ポジション（Ｈｏｒｉｚｏｎｔａｌ  Ｐｏｓｉｔｉｏｎ）、垂直ポジション（Ｖｅｒｔｉｃａｌ  Ｐｏｓｉｔｉｏｎ）、イメージサイズ（Ｉｍａｇｅ  Ｓｉｚｅ）、イメージエフェクト（Ｉｍａｇｅ  Ｅｆｆｅｃｔ）、ＯＳＤランゲージ（ＯＳＤ  Ｌａｎｇｕａｇｅ）、ＯＳＤポジション（ＯＳＤ  Ｐｏｓｉｔｉｏｎ）、ソースセレクション（Ｓｏｕｒｃｅ  Ｓｅｌｅｃｔｉｏｎ）、インフォメーション（Ｉｎｆｏｒｍａｔｉｏｎ）の全てのパラメーターを調整できる。一方、デジタル映像信号の場合は、ブライトネス、イメージサイズ、イメージエフェクト、ＯＳＤランゲージ、ＯＳＤポジション、ソースセレクション、インフォメーションの一部パラメーターのみが調整が可能である。
【００１６】
【発明が解決しようとする課題】
従来のデジタル映像表示機器は、画面にデジタル映像を表示する際に、前述した通り図２の（Ｓ１）から（Ｓ７）の処理を行う。しかし、（Ｓ１）から（Ｓ７）のような入力信号検出処理は、アナログ信号とデジタル信号の両方の信号源をサポートするＤＶＩ−Ｉ型コネクターの場合のみ意味があり、デジタル信号のみをサポートするＤＶＩ−Ｄ型コネクターの場合は無駄な処理になってしまうという問題点があった。
【００１７】
即ち、従来のデジタル映像表示機器は、ＤＶＩ−Ｄ型コネクターを通して外部信号源からデジタル信号のみを受信する場合でも、上述の（Ｓ１）から（Ｓ７）の入力信号検出処理を実行しなければならず、不要な処理のためにコンピュータの処理速度が遅くなるという問題点があった。
【００１８】
また、従来のデジタル映像表示機器は、アナログ映像信号またはデジタル映像信号のパラメーターをユーザーが調整する際に、ブライトネス、コントラスト、イメージロック、カラーコントロール、リセット、水平ポジション、垂直ポジション、イメージサイズ、イメージエフェクト、ＯＳＤランゲージ、ＯＳＤポジション、ソースセレクション、インフォメーションの全てのパラメーターを含んだメニュー画面をディスプレイしていた。しかしこれでは、デジタル映像信号のパラメーター調整の際にユーザーがコントラスト、イメージロック、カラーコントロール、リセット、水平ポジション、垂直ポジションのいづれかのパラメーターを選択しても当該パラメーターの調整が行われないので、ユーザーがコンピュータが故障したと誤認する可能性があるという問題点があった。
【００１９】
【課題を解決するための手段】
上述した従来の技術の問題点を解決するため、本発明におけるデジタル映像表示機器は画面にデジタル映像を表示する際に、先ずデジタル映像表示機器に接続されているコネクターの種類を検出し、その種類がＤＶＩ−Ｄ型の場合は入力信号検出処理を行わないことによって処理速度を改善させる。
【００２０】
また、映像信号のパラメーターをユーザーが調整する際にも、先ずデジタル映像表示機器に接続されているコネクターの種類を検出し、その種類がＤＶＩ−Ｄ型の場合はアナログ映像信号用のパラメーターを画面に表示させないことにより、ユーザーの操作容易性を図る。
【００２１】
上記課題を解決するために、本発明のある観点によれば、コネクターを通して外部信号源から入力されたアナログ映像信号をデジタル映像信号に変換して出力するアナログ映像処理部と、コネクターを通して外部信号源から入力されたデジタル信号をデジタル映像信号、水平同期信号、及び垂直同期信号にデコーディングして出力するデジタル映像処理部と、前記コネクターがＤＶＩ−Ｄ型であるか、あるいはＤＶＩ−Ｉ型であるかを検出するコネクター検出部と、前記コネクター検出部によりＤＶＩ−Ｄ型コネクターが接続されていることが検出された場合、映像信号スイッチング部及び同期信号スイッチング部に第２制御信号を出力し、前記コネクター検出部によりＤＶＩ−Ｉ型コネクターが接続されていることが検出された場合、映像信号スイッチング部及び同期信号スイッチング部に第２制御信号を出力した後、前記同期信号スイッチング部から同期信号が入力されるかを判断し、同期信号が入力されない場合は映像信号スイッチング部及び同期信号スイッチング部に第１制御信号を出力する制御部と、第１制御信号が入力されると前記アナログ映像処理部から入力されたデジタル映像信号を出力し、第２制御信号が入力されると前記デジタル映像処理部から入力されたデジタル映像信号を出力する映像信号スイッチング部と、第１制御信号が入力されると前記コネクターを通して外部信号源から入力された同期信号を出力し、第２制御信号が入力されると前記デジタル映像処理部から入力された同期信号を出力する同期信号スイッチング部と、前記映像信号スイッチング部から入力されたデジタル映像信号を設定された解像度に合わせて信号変換して出力するスケーラーと、前記スケーラーから入力されたデジタル映像信号をパネルにディスプレイするパネル駆動部と、を備えることを特徴とするデジタル映像表示機器のＤＶＩコネクター検出装置が提供される。
上記課題を解決するために、本発明の別の観点によれば、コネクターを通して外部信号源から入力されたアナログ映像信号をデジタル映像信号に変換して出力するアナログ映像処理部と、コネクターを通して外部信号源から入力されたデジタル信号をデジタル映像信号、水平同期信号、及び垂直同期信号にデコーディングして出力するデジタル映像処理部と、前記コネクターがＤＶＩ−Ｄ型であるか、あるいはＤＶＩ−Ｉ型であるかを検出するコネクター検出部と、前記コネクター検出部の検出結果によって映像信号スイッチング部及び同期信号スイッチング部に第１制御信号または第２制御信号を出力する制御部と、第１制御信号が入力されると前記アナログ映像処理部から入力されたデジタル映像信号を出力し、第２制御信号が入力されると前記デジタル映像処理部から入力されたデジタル映像信号を出力する映像信号スイッチング部と、第１制御信号が入力されると前記コネクターを通して外部信号源から入力された同期信号を出力し、第２制御信号が入力されると前記デジタル映像処理部から入力された同期信号を出力する同期信号スイッチング部と、前記映像信号スイッチング部から入力されたデジタル映像信号を設定された解像度に合わせて信号変換して出力するスケーラーと、前記スケーラーから入力されたデジタル映像信号をパネルにディスプレイするパネル駆動部と、を備え、前記制御部は、デジタル映像信号の各種パラメーターを調整するためのメニューキーが入力されると、前記コネクター検出部によりＤＶＩ−Ｄ型コネクターの接続が検出された場合はデジタル映像信号のパラメーターを調整するためのメニュー画面をディスプレイし、前記コネクター検出部によりＤＶＩ−Ｉ型コネクターの接続が検出された場合はデジタル映像信号及びアナログ映像信号のパラメーターを調整するためのメニュー画面をディスプレイするように制御すること、を特徴とするデジタル映像表示機器のＤＶＩコネクター検出装置が提供される。
【００２２】
上記課題を解決するために、本発明の別の観点によれば、アナログスイッチングモードの場合アナログ映像処理部から出力されるデジタル映像信号をパネルにディスプレイし、デジタルスイッチングモードの場合デジタル映像処理部から出力されるデジタル映像信号をパネルにディスプレイするデジタル映像表示機器のＤＶＩコネクター検出方法において、デジタル映像表示機器に接続されているコネクターがＤＶＩ−Ｄ型であるか、あるいはＤＶＩ−Ｉ型であるかを判断するステップ１０と、前記ステップ１０の判断の結果デジタル映像表示機器に接続されているコネクターがＤＶＩ−Ｄ型である場合、スイッチングモードをデジタルスイッチングモードに設定するステップ２０と、前記ステップ２０を実行後、ＤＶＩ−Ｄ型コネクターを通して同期信号が入力されるかを判断するステップ３０と、前記ステップ３０の判断の結果、ＤＶＩ−Ｄ型コネクターを通して同期信号が入力された場合、既に設定されているデジタルスイッチングモードをそのまま維持し、デジタル映像表示機器を正常動作させるステップ４０と、前記ステップ３０の判断の結果、ＤＶＩ−Ｄ型コネクターを通して同期信号が入力されなかった場合、デジタル映像表示機器に異常が生じたと判断してデジタル映像表示機器を節電動作させるステップ５０と、前記ステップ１０の判断の結果、デジタル映像表示機器に接続されているコネクターがＤＶＩ−Ｉ型である場合、ＤＶＩ−Ｉ型コネクターを通して同期信号が入力されるかを判断するステップ６０と、前記ステップ６０の判断の結果、ＤＶＩ−Ｉ型コネクターを通して同期信号が入力された場合、既に設定されているスイッチングモードをそのまま維持してデジタル映像表示機器を正常動作させ、前記ステップ６０の判断の結果、ＤＶＩ−Ｉ型コネクターを通して同期信号が入力されなかった場合、既に設定されているスイッチングモードがアナログスイッチングモードであるか、またはデジタルスイッチングモードであるかを判断するステップ７０と、前記ステップ７０の判断の結果、既に設定されているスイッチングモードがアナログスイッチングモードの場合、スイッチングモードをデジタルスイッチングモードに再設定するステップ８０と、前記ステップ７０の判断の結果、既に設定されているスイッチングモードがデジタルスイッチングモードの場合、スイッチングモードをアナログスイッチングモードに再設定するステップ９０と、前記ステップ８０、または前記ステップ９０を実行後、前記ステップ６０に戻って、前記ステップ６０、ステップ７０、ステップ８０、及びステップ９０を順次繰り返した後、設定されている繰り返し回数に達すると、デジタル映像表示機器に異常が生じたと判断してデジタル映像表示機器を節電動作させるステップ１００と、からなることを特徴とするデジタル映像表示機器のＤＶＩコネクター検出方法が提供される。
【００２３】
【発明の実施の形態】
以下、添付した図面を参照して本発明の実施例について詳しく説明する。
【００２４】
図３は、本発明のデジタル映像表示機器のＤＶＩコネクター検出装置を図示したブロック図である。
【００２５】
アナログ映像処理部１０は、コネクターを通して外部信号源から入力されたアナログ映像信号をデジタル映像信号に変換して出力する。デジタル映像処理部２０は、コネクターを通して外部信号源から入力されたデジタル信号をデジタル映像信号、水平同期信号、及び垂直同期信号にデコーディングして出力する。映像信号スイッチング部３０は、第１制御信号が入力されるとアナログ映像処理部１０から入力されたデジタル映像信号を出力し、第２制御信号が入力されるとデジタル映像処理部２０から入力されたデジタル映像信号を出力する。同期信号スイッチング部４０は、第１制御信号が入力されるとコネクターを通して外部信号源から入力された同期信号を出力し、第２制御信号が入力されると、デジタル映像処理部２０から入力された同期信号を出力する。スケーラー５０は、映像信号スイッチング部３０から入力されたデジタル映像信号を設定された解像度に合わせて信号変換して出力する。パネル駆動部６０は、スケーラー５０から入力されたデジタル映像信号をパネルにディスプレイする。コネクター検出部７０は、コネクターがＤＶＩ−Ｄ型であるか、あるいはＤＶＩ−Ｉ型であるかを検出する。制御部８０は、コネクター検出部７０の検出結果によって映像信号スイッチング部３０と同期信号スッチング部４０に第１制御信号または第２制御信号を出力する。
【００２６】
図４は、本発明によるデジタル映像表示機器のＤＶＩコネクター検出方法を示したフローチャートである。図５は、本発明に適用される一般的なＤＶＩ−Ｄ型コネクター（図５ａ）、ＤＶＩ−Ｉ型コネクター（図５ｂ）、及びデジタル映像表示機器（図５ｃ）を図示した図面である。図６は、図３に示したコネクター検出部の実施形態の一例を示した回路図である。図７は、本発明において画面にディスプレイされるメニュー画面である。図８は、本発明において画面にディスプレイされるメッセージ画面である。
【００２７】
図３を参照して先ず、本発明によるデジタル映像表示機器にデジタル信号が入力された場合について説明する。ＤＶＩ−Ｄ型コネクター、またはＤＶＩ−Ｉ型コネクターを通して外部信号源からデジタル信号が入力された場合、入力されたデジタル信号は先ずデジタル映像処理部２０でデジタル映像信号、水平同期信号、及び垂直同期信号にデコーディングされる。
【００２８】
デジタル映像処理部２０は、具体的にはＴＭＤＳレシーバーであることが一般的である。ＴＭＤＳレシーバーは、外部信号源から入力されたＴＭＤＳ信号変換方式によってコーディングされたデジタル信号を、ＴＭＤＳ信号変換方式によってデジタル映像信号、水平同期信号、及び垂直同期信号にデコーディングする。
【００２９】
ここで、ＴＭＤＳ（Ｔｒａｎｓｍｉｓｓｉｏｎ  Ｍｉｎｉｍｉｚｅｄ  Ｄｉｆｆｅｒｅｎｔｉａｌ  Ｓｉｇｎａｌｌｉｎｇ）信号変換方式というのは、送信側で並列データを高速直列データに変調して伝送すると、受信側でそのデータを受けて復調する技術である。
【００３０】
デジタル映像処理部２０でデコーディングされたデジタル映像信号は、スケーラー５０にて設定された解像度に合わせて信号変換された後、パネル駆動部６０によりパネルにディスプレイされる。
【００３１】
次に、本発明によるデジタル映像表示機器にアナログ信号が入力された場合について説明する。ＤＶＩ−Ｉ型コネクターを通して外部信号源からアナログ信号が入力された場合、入力されたアナログ映像信号は先ずアナログ映像処理部１０でデジタル映像信号に変換される。
【００３２】
アナログ映像処理部１０は、具体的にはＡＤＣ（Ａｎａｌｏｇ  Ｄｉｇｉｔａｌ  Ｃｏｎｖｅｒｔｅｒ）とＰＬＬであることが一般的であり、外部信号源から入力されたアナログ映像信号をデジタル映像信号に変換する。
【００３３】
アナログ映像処理部１０で変換されたデジタル映像信号は、スケーラー５０にて設定された解像度に合わせて信号変換された後、パネル駆動部６０によりパネルにディスプレイされる。
【００３４】
上記過程において、本発明によるデジタル映像表示機器の制御部８０は、接続されているコネクターがＤＶＩ−Ｄ型であるか、あるいはＤＶＩ−Ｉ型であるかを判断し、その結果によってスイッチングモードを設定する。スイッチングモードには、デジタルスイッチングモードとアナログスイッチングモードがあり、設定されたスイッチングモードは映像スイッチング部３０および同期信号スイッチング部４０を制御し、信号源から入力されたアナログ映像信号またはデジタル映像信号のどちらかを画面にディスプレイする。
【００３５】
即ち、制御部８０は、アナログスイッチングモードの場合、アナログ映像処理部１０から出力されるデジタル映像信号をパネルにディスプレイし、デジタルスイッチングモードの場合、デジタル映像処理部２０から出力されるデジタル映像信号をパネルにディスプレイする。
【００３６】
図４を参照して本発明のデジタル映像表示機器の動作をより詳しく説明する。制御部８０は、ステップ１０（Ｓ１０）でデジタル映像表示機器に接続されているコネクターがＤＶＩ−Ｄ型であるか、あるいはＤＶＩ−Ｉ型であるかを判断する。
【００３７】
一般的なＤＶＩ−Ｄ型コネクターは、図５ａに図示したように、デジタル信号を伝送するための多数のピン１−２４で構成される。また、一般的なＤＶＩ−Ｉ型コネクターは、図５ｂに図示したようにデジタル信号を伝送するための多数のピン１−２４とアナログ信号を伝送するための多数のピンＣ１−Ｃ５で構成される。アナログ信号を伝送するための多数のピンＣ１−Ｃ５のうち、１つのピンＣ５はグラウンドと接続される。
【００３８】
コネクター検出部７０は、上述のような一般的なＤＶＩ−Ｄ型コネクターとＤＶＩ−Ｉ型コネクターの特性を利用する。
【００３９】
コネクター検出部７０は、所定の電源電圧Ｖｃｃを分圧するための抵抗Ｒ１、Ｒ２で構成され、コネクターのアナロググラウンド接続ピンＣ５と制御部８０との間に接続される。図６ａに図示したようにＤＶＩ−Ｄ型コネクターが接続されている場合は、アナロググラウンド接続ピンＣ５をオープンにしてハイレベルの検出信号を制御部８０に出力する。図６ｂに図示したようにＤＶＩ−Ｉ型コネクターが接続されている場合は、アナロググラウンド接続ピンＣ５をグラウンドに接続してローレベルの検出信号を制御部８０に出力する。
【００４０】
即ち、制御部８０はコネクター検出部７０から入力された検出信号のレベルによって、接続されているコネクターがＤＶＩ−Ｄ型であるか、またはＤＶＩ−Ｉ型であるかを判断して映像信号スイッチング部３０と同期信号スイッチング部４０に第１制御信号、または第２制御信号を出力する。
【００４１】
ステップ１０（Ｓ１０）の判断の結果、デジタル映像表示機器に接続されているコネクターがＤＶＩ−Ｄ型の場合、制御部８０はステップ２０（Ｓ２０）にて、スイッチングモードをデジタルスイッチングモードに設定して映像信号スイッチング部３０と同期信号スイッチング部４０に第２制御信号を出力する。
【００４２】
第２制御信号が入力された映像信号スイッチング部３０はデジタル映像処理部２０から入力されたデジタル映像信号をスケーラー５０へ出力する。第２制御信号が入力された同期信号スイッチング部４０はデジタル映像処理部２０から入力された同期信号をスケーラー５０と制御部８０へ出力する。
【００４３】
ステップ２０（Ｓ２０）の実行後、制御部８０はステップ３０（Ｓ３０）にて、同期信号スイッチング部４０から同期信号が入力されるかを判断する。
【００４４】
ステップ３０（Ｓ３０）の判断の結果、同期信号スイッチング部４０から同期信号の入力がある場合は、制御部８０はステップ４０（Ｓ４０）にて、既にデジタルスイッチングモードに設定されているスイッチングモードをそのまま維持し、デジタル映像表示機器を正常に動作させる。
【００４５】
即ち、映像信号スイッチング部３０を通してスケーラー５０に入力されたデジタル映像信号は、設定された解像度に合わせて信号変換された後、パネル駆動部６０によってパネルにディスプレイされる。
【００４６】
ステップ３０（Ｓ３０）の判断の結果、同期信号スイッチング部４０から同期信号の入力がない場合は、制御部８０はステップ５０（Ｓ５０）にて、デジタル映像表示機器に異常が生じたと判断し、デジタル映像表示機器を節電動作させる。
【００４７】
一方、ステップ１０（Ｓ１０）の判断の結果、デジタル映像表示機器に接続されているコネクターがＤＶＩ−Ｉ型の場合、制御部８０はステップ６０（Ｓ６０）にて同期信号スイッチング部４０から同期信号が入力されるかを判断する。
【００４８】
ステップ６０（Ｓ６０）の判断の結果、同期信号スイッチング部４０から同期信号の入力がある場合は、制御部８０は、ステップ７０（Ｓ７０）にて既に設定されているスイッチングモードをそのまま維持し、デジタル映像表示機器を正常に動作させる。ステップ６０（Ｓ６０）の判断の結果、同期信号スイッチング部４０から同期信号の入力がない場合は、既に設定されているスイッチングモードがアナログスイッチングモードであるか、またはデジタルスイッチングモードであるかを判断する。
【００４９】
ステップ７０（Ｓ７０）の判断の結果、既に設定されているスイッチングモードがアナログスイッチングモードの場合、制御部８０はステップ８０（Ｓ８０）にてスイッチングモードをデジタルスイッチングモードに再設定して映像信号スイッチング部３０と同期信号スイッチング部４０に第２制御信号を出力する。
【００５０】
第２制御信号が入力された映像信号スイッチング部３０はデジタル映像処理部２０から入力されたデジタル映像信号をスケーラー５０へ出力する。第２制御信号が入力された同期信号スイッチング部４０はデジタル映像処理部２０から入力された同期信号をスケーラー５０と制御部８０へ出力する。
【００５１】
ステップ７０（Ｓ７０）の判断の結果、既に設定されているスイッチングモードがデジタルスイッチングモードの場合、制御部８０はステップ９０（Ｓ９０）にてスイッチングモードをアナログスイッチングモードに再設定して映像信号スイッチング部３０と同期信号スイッチング部４０に第１制御信号を出力する。
【００５２】
第１制御信号が入力された映像信号スイッチング部３０は、アナログ映像処理部１０から入力されたデジタル映像信号をスケーラー５０へ出力する。第１制御信号が入力された同期信号スイッチング部４０は、ＤＶＩ−Ｉ型コネクターから入力された同期信号をスケーラー５０と制御部８０へ出力する。
【００５３】
ステップ８０（Ｓ８０）またはステップ９０（Ｓ９０）の実行後、制御部８０はステップ６０（Ｓ６０）に戻り、ステップ１００（Ｓ１００）の処理として、ステップ６０（Ｓ６０）、ステップ７０（Ｓ７０）、ステップ８０（Ｓ８０）、ステップ９０（Ｓ９０）を設定された反復回数に至るまで繰り返し実行し、設定された反復回数に達すると、デジタル映像表示機器に異常が生じたと判断してデジタル映像表示機器を節電動作させる。
【００５４】
例えば、ステップ７０（Ｓ７０）の判断の結果、既に設定されているスイッチングモードがアナログスイッチングモードの場合、制御部８０はステップ８０（Ｓ８０）にて、スイッチングモードをデジタルスイッチングモードに再設定する。
【００５５】
ステップ８０（Ｓ８０）の実行後、制御部８０はステップ１００（Ｓ１００）の処理の一環としてステップ６０（Ｓ６０）に戻り、同期信号スイッチング部４０から同期信号が入力されるかを判断する。ステップ６０（Ｓ６０）の判断の結果、同期信号スイッチング部４０から同期信号の入力があると、制御部８０はステップ７０（Ｓ７０）で再設定されたスイッチングモードをそのまま維持してデジタル映像表示機器を正常動作させる。ステップ６０（Ｓ６０）の判断の結果、同期信号スイッチング部４０から同期信号の入力がないと、再設定されたスイッチングモードがアナログスイッチングモードであるか、またはデジタルスイッチングモードであるかを判断する。ステップ７０（Ｓ７０）の判断の結果、再設定されたスイッチングモードはデジタルスイッチングモードであるので、制御部８０は、ステップ９０（Ｓ９０）にてスイッチングモードをアナログスイッチングモードに再設定する。
【００５６】
このように、ステップ６０（Ｓ６０）、ステップ７０（Ｓ７０）、ステップ８０（Ｓ８０）、ステップ９０（Ｓ９０）の処理を順次繰り返した後、設定された反復回数に達するとデジタル映像表示機器に異常が生じたと判断し、デジタル映像表示機器を節電動作させる。
【００５７】
一方、ステップ７０（Ｓ７０）の判断の結果、既に設定されているスイッチングモードがデジタルスイッチングモードの場合、制御部８０はステップ９０（Ｓ９０）にてスイッチングモードをアナログスッチングモードに再設定する。
【００５８】
ステップ９０（Ｓ９０）の実行後、制御部８０はステップ１００（Ｓ１００）の処理の一環としてステップ６０（Ｓ６０）に戻り、同期信号スイッチング部４０から同期信号が入力されるかを判断する。ステップ６０（Ｓ６０）の判断の結果、同期信号スイッチング部４０から同期信号の入力があると、制御部８０はステップ７０（Ｓ７０）で再設定されたスイッチングモードをそのまま維持してデジタル映像表示機器を正常動作させる。ステップ６０（Ｓ６０）の判断の結果、同期信号スイッチング部４０から同期信号の入力がないと、再設定されたスイッチングモードがアナログスイッチングモードであるか、またはデジタルスイッチングモードであるかを判断する。ステップ７０（Ｓ７０）の判断の結果、再設定されたスイッチングモードはアナログスイッチングモードであるので、制御部８０は、ステップ８０（Ｓ８０）にてスイッチングモードをデジタルスイッチングモードに再設定する。
【００５９】
このように、ステップ６０（Ｓ６０）、ステップ７０（Ｓ７０）、ステップ８０（Ｓ８０）、ステップ９０（Ｓ９０）の処理を順次繰り返した後、設定された反復回数に達すると、デジタル映像表示機器に異常が発生したと判断し、デジタル映像表示機器を節電動作させる。
【００６０】
次に、本発明における映像信号パラメーター調整のメーニュー画面について説明する。制御部８０は、ユーザーが映像信号の各種パラメーターを調整するためのメニュー画面の出力を要求した場合、ＯＳＤ（Ｏｎ  Ｓｃｒｅｅｎ  Ｄｉｓｐｌａｙ）機能を利用して、デジタル映像表示機器に接続されているコネクターがＤＶＩ−Ｄ型の場合はデジタル映像信号のパラメーターを調整するためのメニュー画面をディスプレイし、デジタル映像表示機器に接続されているコネクターがＤＶＩ−Ｉ型の場合はデジタル映像信号及びアナログ映像信号のパラメーターを調整するためのメニュー画面をディスプレイする。
【００６１】
デジタル映像信号のパラメーターを調整するためのメニュー画面は、図７ａに図示したようにブライトネス、イメージサイズ、イメージエフェクト、ＯＳＤランゲージ、ＯＳＤポジション、ソースセレクション、およびインフォメーションからなる。一方、デジタル映像信号およびアナログ映像信号のパラメーターを調整するためのメニュー画面は、図７ｂに図示したようにブライトネス、コントラスト、イメージロック、カラーコントロール、リセット、水平ポジション、垂直ポジション、イメージサイズ、イメージエフェクト、ＯＳＤランゲージ、ＯＳＤポジション、ソースセレクション、インフォメーションからなる。
【００６２】
次に、本発明におけるコネクター接続情報のメッセージ画面について説明する。制御部８０は、デジタル映像表示機器に接続されているコネクターがＤＶＩ−Ｄ型の場合、ＤＶＩ−Ｄ型コネクターの接続状態をユーザーに知らせるために図８ａに図示したようなＯＳＤ画面をディスプレイする。また、デジタル映像表示機器に接続されているコネクターがＤＶＩ−Ｉ型の場合、ＤＶＩ−Ｉ型コネクターの接続状態をユーザーに知らせるために図８ｂに図示したようなＯＳＤ画面をディスプレイする。
【００６３】
制御部８０は、電源を入れた時、またはコネクターを分離後再接続した時に、コネクターがＤＶＩ−Ｄ型であるか、またはＤＶＩ−Ｉ型であるかを検出し、コネクターの接続状態をユーザーに知らせるためのＯＳＤ画面をディスプレイする。
【００６４】
以上本発明の実施の形態について説明したが、本発明は上記実施の形態に限定されるものではなく、前記請求項記載の範囲内で多様な実施の形態をとることができる。
【００６５】
【発明の効果】
上述のように、本発明においては、先ずデジタル映像表示機器に接続されたＤＶＩコネクターの種類を検出し、コネクターがＤＶＩ−Ｄ型である場合は、外部信号源から入力された映像信号がアナログかデジタルかを判断する処理を行わずに、直ちに外部信号源から入力された映像信号を画面にディスプレイする処理を行うことにより、処理時間の短縮を図れる。
【００６６】
また、映像信号のパラメーターをユーザーが調整する場合においても、先ずデジタル映像表示機器に接続されたＤＶＩコネクターの種類を検出し、コネクターがＤＶＩ−Ｄ型である場合にはアナログ映像信号固有のパラメーターをパラメーター調整画面に表示しないことにより、ユーザーの操作の容易性を図ることができる。
【図面の簡単な説明】
【図１】従来のデジタル映像表示機器の概略を示したブロック図である。
【図２】従来のデジタル映像表示機器の入力信号検出方法を示したフローチャートである。
【図３】本発明におけるのデジタル映像表示機器のＤＶＩコネクター検出装置のブロック図である。
【図４】本発明におけるデジタル映像表示機器のＤＶＩコネクター検出方法を示したフローチャートである。
【図５】本発明に適用される一般的なＤＶＩ−Ｄ型コネクター（図５ａ）、ＤＶＩ−Ｉ型（図５ｂ）コネクター、及びデジタル映像表示機器（図５ｃ）を示した図面である。
【図６】図３に図示したコネクター検出部の一実施例を示した回路図である。
【図７】本発明における映像信号パラメーター調整のメニュー画面図である。
【図８】本発明における画面にディスプレイされるコネクター接続情報のメッセージ画面図である。
【符号の説明】
１：アナログ映像処理部
２：デジタル映像処理部
３：映像信号スイッチング部
４：同期信号スイッチング部
５：スケーラー
６：パネル駆動部
７：電源部
８：制御部
９：ＯＳＤ  ＩＣ
１０：アナログ映像処理部
２０：デジタル映像処理部
３０：映像信号スイッチング部
４０：同期信号スイッチング部
５０：スケーラー
６０：パネル駆動部
７０：コネクター検出部
８０：制御部
９０：ＯＳＤ  ＩＣ
１００：電源部
【図１】
0003604084.tif 000002
【図２】
0003604084.tif 000003
【図３】
0003604084.tif 000004
【図４】
0003604084.tif 000005
【図５】
0003604084.tif 000006
【図６】
0003604084.tif 000007
【図７】
0003604084.tif 000008
【図８】
0003604084.tif 000009